(57)【特許請求の範囲】
【請求項１】
既設の建造物の隣接した支柱間にある窓枠が落下することを防止する裝置であって、  
既設の建造物の隣接したふたつの支柱に結合された支柱結合部材（Ｂ）と、
窓枠の上部に結合された窓枠結合部材（Ｗ）と、
障子（Ｓ）に結合された障子結合部材（ＷＳ）と、板体（Ｚ）とからなり、
支柱結合部材（Ｂ）と窓枠結合部材（Ｗ）とが、板体（Ｚ）を介して結合されていて、
さらに、障子（Ｓ）に、窓枠内の窓を開閉する方向に可動する補助部材が配設されていて、窓枠結合部材（Ｗ）と障子結合部材（ＷＳ）とが、前記可動する補助部材を介して結合されている、裝置。
【請求項２】
既設の建造物の隣接した支柱間にある窓枠が落下することを防止する裝置であって、  
既設の建造物の隣接したふたつの支柱に結合された支柱結合部材（Ｂ）と、
窓枠の上部に結合された窓枠結合部材（Ｗ）と、
障子（Ｓ）に結合された障子結合部材（ＷＳ）と、命綱となる紐体（Ｌ）とからなり、
支柱結合部材（Ｂ）と窓枠結合部材（Ｗ）とが、紐体（Ｌ）を介して結合されていて、
さらに、障子（Ｓ）に、窓枠内の窓を開閉する方向に可動する補助部材が配設されていて、窓枠結合部材（Ｗ）と障子結合部材（ＷＳ）とが、前記可動する補助部材を介して結合されている、裝置。
【請求項３】
請求項１に記載された裝置による、既設の建造物の隣接した支柱間にある窓枠の落下を防止する施工方法であって、少なくとも、以下の１から４の工程を有する施工方法。
１  既設の建造物の隣接したふたつの支柱に支柱結合部材（Ｂ）を結合する工程、
２  窓枠の上部に窓枠結合部材（Ｗ）を結合する工程、
３  支柱結合部材（Ｂ）と窓枠結合部材（Ｗ）を、板体（Ｚ）を介して結合する工程、
４  障子（Ｓ）に、窓枠内の窓を開閉する方向に可動する補助部材を配設するとともに、窓枠結合部材（Ｗ）と障子結合部材（ＷＳ）とを、前記可動する補助部材を介して結合する工程。
【請求項４】
請求項２に記載された裝置による、既設の建造物の隣接した支柱間にある窓枠の落下を防止する施工方法であって、少なくとも、以下の１から４の工程を有する施工方法。
１  既設の建造物の隣接したふたつの支柱に支柱結合部材（Ｂ）を結合する工程、
２  窓枠の上部に窓枠結合部材（Ｗ）を結合する工程、
３  支柱結合部材（Ｂ）と窓枠結合部材（Ｗ）を、紐体（Ｌ）を介して結合する工程、
４  障子（Ｓ）に、窓枠内の窓を開閉する方向に可動する補助部材を配設するとともに、窓枠結合部材（Ｗ）と障子結合部材（ＷＳ）とを、前記可動する補助部材を介して結合する工程。
【発明の詳細な説明】
【技術分野】
【０００１】
本発明は、高所にある窓枠（サッシ）が窓枠（サッシ）ごと落下（窓枠（サッシ）全体で落下）する危険を防止する安全対策技術である。具体的には、災害避難所で利用される学校の体育館の明かり取りのために高所に設置された窓枠（サッシ）が落下することを防止する技術である（図１）。
【０００２】
東日本大震災後の調査によると、体育館の窓ガラス被害２２０件のうち、窓枠（サッシ）ごと落下したケースが３４件あったとされる。その被害は進行している体育館の耐震化と無関係のようで、窓枠（サッシ）ごと落下したケースの６割超は、建物の構造部分の耐震化が済んでいる体育館で起きていた。ゆえに、構造の耐震化とは別途の対策が急がれている。
【０００３】
避難所で利用される小中学校の体育館は、明かり取りのため高所に窓枠（サッシ）がある。それが窓枠ごと落下すると、きわめて危険で、特に避難所への避難民が予震で二次災害を被ることが心配される。
【０００４】
さらに、窓枠（サッシ）が落下する過程や地上で壊れた時に、周囲にガラス破片をまき散らす。それが地上に散乱して避難所の機能を著しく阻害する恐れもある。
【０００５】
体育館の構造別で比較すると、鉄筋コンクリート造りの階下部に鉄骨造りの２階を乗せる複合型で被害が大きい傾向があった。
【０００６】
近年、学校等の新設は多くない。そのため、体育館の高所の窓枠（サッシ）を調べてみると、古く腐食老朽化した「スチールサッシ」を耐候性のよい「アルミサッシ」に置換しているものがほとんどである。これは「改装サッシ」と称され、基礎のコンクリ部分を取り払って置換するとなると工事が大がかりになるので、コンクリ基礎中の既設スチールサッシのベース鋼材、ベースコンクリート等を新規アルミサッシの躯体の一部として再利用している。
【０００７】
すなわち、既設スチールサッシのベース鋼材、ベースコンクリート等と新設アルミサッシとを、種々の部材を介して結合している。そのため、その古いスチール躯体とアルミサッシとを結合する部位の施工が不完全であると、破断の原因となるという弱点を抱えている。
【０００８】
しかも、地震時のアルミサッシ上部のスチール躯体部には、地上地震波が体育館天井経由で伝わる。ゆえに、上部振動には、地上地震波に天井構造の振動が付加され、振動モードが下部のそれと異なってくる。そのため、上部のスチール躯体とアルミサッシの結合部に応力が集中しやすい（図２）。
【０００９】
この応力集中は、前記の古いスチール躯体の再利用と無関係である。つまり、東日本大震災の結果から提唱される築年数の長い鉄骨造体育館の問題に限られる危険性ではない。
【００１０】
すなわち、窓枠（サッシ）を有するきわめて多くの建造物にて、上部結合破断で上からの支えがなくなって、窓枠全体が落下する同様の危険性をはらんでいる。
【００１１】
発明者はかかる状況に注目した。そして、窓枠（サッシ）上部の躯体との結合部に破断があったとしても、窓枠（サッシ）上部を「他の構造物に懸架させる（ぶらさがる）ようにして」、とにかく窓枠（サッシ）が落下することを避ける、という考えに行き着いた（図３−図４）。
【００１２】
この考え方がすでに提案されているか否かを、特許庁データベースで調査した（２０１４年４月２０日実施）。すなわち、ＩＰＤＬにて、『要約＋請求の範囲』に次のキーワードを有する特許検索を実行した。（公開特許公報のみチェックを入れた）
・サッシ  窓枠
・落下防止  落下を防止
その結果、ヒット件数４１件であった。しかしながら、これらは防犯・防火等で分野が違うか、または、「窓ガラスの障子からの落下」、「サッシからの障子の落下」、に関わるもので、「窓枠（サッシ）全体の落下」を課題としているものは発見できなかった。
【００１３】
1 特開2013-181385 ユニットバス 日東合成 
2 特開2012-219605 面格子の落下防止・・構造 丸忠 
3 特開2012-011271 ・・サッシ窓の落下防止機構 オリエンタル・・
＜中略＞
39 特開平09-025773 網戸の落下防止材 ワイケイケイ・・ 
40 特開平08-079918 操作・表示パネル・・方法  勝亦電機製作所 
41 特開平06-026105 折畳ユニットハウス ケーワイ建設工業
【００１４】
同様に、次のキーワードでは、ヒット件数４４件であった。
・サッシ  窓枠
・脱落防止  脱落を防止
これらも、防犯・防火等で分野が違うか、または、「窓ガラスの障子からの落下」、「サッシからの障子の落下」、に関わるもので、「窓枠（サッシ）全体の落下」を課題としているものは発見できなかった。
【００１５】
1 特開2013-189756 建具 ＹＫＫ ＡＰ
2 特開2013-076261 サッシ 三協立山
3 特開2012-224212 ウエザー・・の取付構造 鬼怒川ゴム工業
＜中略＞
42 特開平09-175172 建設機械の・・ガラス取付装置 住友建機
43 特開平06-307164 サッシ枠の固定装置 立川ブラインド工業
44 特開平06-299765 防火窓 鐵矢工業
【００１６】
さらに、同上のデータベースにて、『要約＋請求の範囲』に次のキーワードを有する検索を「実用新案（公開＋公告）」と「公開特許」で実行した。
・改装サッシ
・躯体
その結果、ヒット件数は実用新案（公開＋公告）で１１件、公開特許で３３件であった。しかしながら、かかる４４件のヒット文献と、本発明とは無関係であった。
【００１７】
ヒット件数 11 件
1実開平01-089586
2実開平01-061384
＜中略＞
10実公昭63-013351
11実公昭63-013350
ヒット件数 33 件 
1特開2014-025196  改装サッシ及びサッシの改装方法  ＹＫＫ ＡＰ
2特開2013-224521  改装サッシ及びサッシの改装方法  ＹＫＫ ＡＰ
3特開2013-217111  浴室改装サッシ  ＹＫＫ ＡＰ
＜中略＞
31特開平11-117613 改装サッシ  ワイケイケイ・・プロダクツ
32特開平11-101066 改装サッシ  ワイケイケイ・・プロダクツ
33特開平07-048972 改装サッシ  ワイケイケイ
【００１８】
さらにまた、検索サイト「Google」で調査をおこなった（２０１４年４月２０日実施）。すなわち、前記の第一から第四のキーワード群を適当に組み合わせ、たとえば「サッシ、窓枠、改装サッシ、落下、脱落」等々を検索した。その結果、本発明の類似の情報を開示しているウェッブサイトは発見できなかった。
【００１９】
検索の過程で、以下の特許文献１−４が発見された。これらは参考であって、本発明の構成を示すものはない。
一方、さらに特許文献５−８も発見された。これらと本発明との対比は後述する。（段落番号［0074］以降参照）
【００２０】
【特許文献１】特開2004-244961「防犯サッシ・・施工方法」中島硝子工業
【特許文献２】実開昭63-13351「改装サッシ」ワイケイケイ
【特許文献３】特開2005-282054「改装サッシ」日本総合住生活  他
【特許文献４】特開平08-177321「改装サッシの新設上枠連結構造」ＹＫＫ ＡＰ
【特許文献５】特表2009-544872「吊下げ・・パネル・・耐震カーテンウォール」
【特許文献６】登録実用新案3179180「扉の倒れ防止機構」
【特許文献７】特開2008-57217「家屋における補強構造方法」
【特許文献８】特開2006-233756「窓枠およびこれを備えた窓」
【発明の開示】
【発明が解決しようとする課題】
【００２１】
本発明は、窓枠全体が落下するのを防止する裝置ならびに該裝置による窓枠落下防止施工法を提案するものであって、公知の「窓枠から」障子・窓ガラスが落下する、あるいは、「障子から」窓ガラスが落下することを防止する技術とは一線を画するものである。
【課題を解決するための手段】
【００２２】
本発明は以下の［０１］から［０９］である。詳細は後述する。
【００２３】
［０１］  本発明の裝置の第一態様は、建造物の隣接した支柱（１）の間にある窓枠（２）が落下することを防止する裝置であって（図１）、  建造物のひとつの支柱に結合する第一の支柱結合部材（Ｂ１）と、建造物の他の支柱に結合する第二の支柱結合部材（Ｂ２）と、  窓枠の上部に結合する窓枠結合部材（Ｗ）と、命綱となる紐体（Ｌ）とからなり、前記第一の支柱結合部材（Ｂ１）と窓枠結合部材（Ｗ）、及び、第二の支柱結合部材（Ｂ２）と窓枠結合部材（Ｗ）とが、前記の紐体（Ｌ）を介して結合されている、裝置である（図３）。
【００２４】
［０２］  また、前記の窓枠の中の障子（Ｓ）に障子結合部材（ＷＳ）が、さらに配設されていて、前記の窓枠結合部材（Ｗ）と前記障子結合部材（ＷＳ）とが、紐体（Ｌ）を介して結合されていてもよいし、前記の窓枠結合部材（Ｗ）と前記障子結合部材（ＷＳ）とが直接結合されていてもよい。
【００２５】
［０３］  本発明の裝置の第二態様は、前記の第一の支柱結合部材（Ｂ１）と第二の支柱結合部材（Ｂ２）とを連結する連結部材（Ｂ３）と、窓枠の上部に結合する窓枠結合部材（Ｗ）と、命綱となる紐体（Ｌ）とからなり、前記連結部材（Ｂ３）と窓枠結合部材（Ｗ）とが、前記の紐体（Ｌ）を介して結合されている態様でもよい（図４）。
【００２６】
［０４］  また、窓枠の中の障子（Ｓ）に障子結合部材（ＷＳ）が、さらに配設されていて、窓枠結合部材（Ｗ）と前記障子結合部材（ＷＳ）とが、紐体（Ｌ）を介して結合されている、および／または、連結部材（Ｂ３）と前記障子結合部材（ＷＳ）とが、紐体（Ｌ）を介して結合されていてもよい（図１０）。
【００２７】
［０５］  本発明の裝置の第三態様は、建造物の隣接したふたつの支柱に結合した支柱結合部材（Ｂ４）と、窓枠の上部に結合する窓枠結合部材（Ｗ）と、命綱となる紐体（Ｌ）と、前記の紐体（Ｌ）を通貫させる孔を有し、かつ、支柱結合部材（Ｂ４）に結合された補助部材（Ｂ５）とからなり、前記補助部材（Ｂ５）と窓枠結合部材（Ｗ）とが、前記の紐体（Ｌ）を介して結合されている、裝置である（図１６）。
【００２８】
［０６］  また、窓枠の中の障子（Ｓ）に障子結合部材（ＷＳ）が、さらに配設されていて、窓枠結合部材（Ｗ）と前記障子結合部材（ＷＳ）とが、紐体（Ｌ）を介して結合されている、および／または、支柱結合部材（Ｂ４）と前記障子結合部材（ＷＳ）とが、紐体（Ｌ）を介して結合されている、および／または、補助部材（Ｂ５）と前記障子結合部材（ＷＳ）とが、紐体（Ｌ）を介して結合されていてもよい。
【００２９】
［０７］  本発明の施工法は、前記［１］または［２］の第一態様の裝置による、建造物の支柱間にある窓枠の落下を防止する施工方法であって、少なくとも、以下の１から４の工程を有する施工方法である。
１  建造物のひとつの支柱に第一の支柱結合部材（Ｂ１）を結合する工程、
２  建造物の他の支柱に第二の支柱結合部材（Ｂ２）を結合する工程、
３  窓枠の上部に窓枠結合部材（Ｗ）を結合する工程、
４  第一の支柱結合部材（Ｂ１）と窓枠結合部材（Ｗ）、及び、第二の支柱結合部材（Ｂ２）と窓枠結合部材（Ｗ）を、紐体（Ｌ）を介して結合する工程。
【００３０】
［０８］  また、本発明の施工法は、前記［３］または［４］の第二態様の裝置による施工方法であって、少なくとも、以下の１から５の工程を有する施工方法である。
１  建造物のひとつの支柱に第一の支柱結合部材（Ｂ１）を結合する工程、
２  建造物の他の支柱に第二の支柱結合部材（Ｂ２）を結合する工程、
３  第一の支柱結合部材（Ｂ１）と第二の支柱結合部材（Ｂ２）とを連結部材（Ｂ３）を介して連結する工程、
４  窓枠の上部に窓枠結合部材（Ｗ）を結合する工程、
５  連結部材（Ｂ３）と窓枠結合部材（Ｗ）を、命綱となる紐体（Ｌ）を介して結合する工程。
【００３１】
［０９］  また、本発明の施工法は、前記［５］または［６］の第三態様の裝置による施工方法であって、少なくとも、以下の１から５の工程を有する施工方法である。
１  紐体（Ｌ）を通貫するための孔を有する補助部材（Ｂ５）を支柱結合部材（Ｂ４）に結合する工程、
２  建造物の隣接したひとつの支柱に支柱結合部材（Ｂ４）を結合する工程、
３  建造物の隣接した他の支柱に支柱結合部材（Ｂ４）を結合する工程、
４  窓枠の上部に窓枠結合部材（Ｗ）を結合する工程、
５  補助部材（Ｂ５）と窓枠結合部材（Ｗ）を、命綱となる紐体（Ｌ）を介して結合する工程。
【００３２】
本発明の本質は、図３−図４等に示されるように、窓枠（２）上部の躯体との結合部に破断があったとしても、窓枠（２）上部を支柱（１）にやや斜行ながら懸架させる（ぶらさがる）ようにして、とにかく窓枠（サッシ）が落下することを避ける、というものである。
【００３３】
いうまでもなくその効果は、震災時の危険防止、ならびに、避難所として利用される建造物にてガラスが飛散された状態となって、避難所の機能を損なうことを回避できることである。
以下［０１］から［０９］について、順に補足説明を加える。
【００３４】
図３が、本発明第一態様の裝置［０１］の構成図である。震災での窓枠落下事故の例では、建造物（１）は体育館であり、窓枠（２）は、図８や図９の写真のように明かり取りとして高所にある。
【００３５】
避難所に利用される小中学校の体育館の場合、建造物の支柱（１）間の距離（スパン距離）は、５−７ｍであり、その間に窓枠（サッシ）が配設されている。
【００３６】
窓枠（サッシ）は、たとえば、引き違いの二枚の窓ガラスを三組並べて配し（三連窓）、それが上下二段にひとつの窓枠（サッシ）に組み込まれたもので、この場合には窓ガラスは十二枚となる（図９）。
【００３７】
前記のように、窓枠（サッシ）が「改装サッシ」の場合は、再利用した古いスチール躯体で上部から支えをとっていることが多い。また、そうでなくとも上部躯体は天井に繋っていて、地震振動は窓枠上下で異なってくるので、窓枠（サッシ）上部の連結部に破損が生じるおそれがある。
【００３８】
図４が本発明第二態様の裝置［０３］の構成図で、第一の支柱結合部材（Ｂ１）、第二の支柱結合部材（Ｂ２）、窓枠結合部材（Ｗ）、命綱となる紐体（Ｌ）などの構成要素の材質は、ステンレスなどの耐候性のよい金属が望ましい。その理由は長期間、これといった保守をせずに置く可能性が高いからである。特に紐体（Ｌ）は、ステンレス製ワイヤーロープが好適だろう。
【００３９】
図５が図４の裝置態様を実施した場合のイメージ斜視図である。ここで、第一の支柱結合部材（Ｂ１）はＣ型鋼で、これと建造物のひとつの支柱に穴あけしてボルトで結合している。第二の支柱結合部材（Ｂ２）も同様である。
【００４０】
第一の支柱結合部材（Ｂ１）と第二の支柱結合部材（Ｂ２）とは、図示されるように同じものでもよいし、異なる形態、異なる材質のものでよい。それらと支柱との結合は、穴あけしてボルトで結合する方法以外の、嵌合・締結・溶接などの公知の結合・接合法を現場状況にあわせて適宜採用してよい。
【００４１】
連結部材（Ｂ３）も、異なる形態、異なる材質のものでよく、たとえば、図６に示すように、Ｂ３をワイヤーロープＢ３０としてもよい。この態様を図１０に対応した模式的として図１１に示す。もちろんワイヤーロープＢ３０は、耐候性のよいステンレス製が望ましい。
【００４２】
図１６が、本発明第三態様の裝置［０５］のイメージ斜視図である。これは本発明第二態様の裝置［０３］のＢ１・Ｂ２・Ｂ３を一体化した、たとえば、長尺のＣ型鋼である「Ｂ４」を、建造物の隣接したふたつの支柱に配設する態様である。「Ｂ４」には、窓枠の命綱「Ｌ」を通貫するための孔を有する補助部材（Ｂ５）が結合されている。その貫通孔に「Ｌ」を通貫させて、窓枠結合部材（Ｗ）と結合する。
【００４３】
図７は、本発明第三態様の裝置［０５］を具体化した施工計画の例図である。同図は、改装サッシが配設された現場での適用例で、既設の旧スチールサッシの設置金物に孔を穿孔し、かかる孔にボルトを通貫し、窓枠結合部材（Ｗ）の一部を窓枠２の上部に結合させている。
【００４４】
その窓枠結合部材（Ｗ）は、旧スチールサッシの設置金物のほかに、命綱となる紐体（Ｌ）を介して補助部材（Ｂ５）に結合している。
【００４５】
以下、本発明の「窓枠落下防止」に、さらに「障子落下防止」を加えた態様を説明する。（［０２］［０４］［０６］の補足）
【００４６】
図１０は、窓枠（２）の中にある障子（Ｓ）の上部に、障子結合部材（ＷＳ）を結合し、その障子結合部材（ＷＳ）と連結部材（Ｂ３）とを紐体（Ｌ）を介して結合した例である。こうすれば、障子（Ｓ）の落下も防止できる。
【００４７】
図１２は、図１０のＢ３をワイヤーロープ（Ｂ３０）とし、上方の障子（Ｓ１）に障子結合部材（ＷＳ１）を結合し、その障子結合部材（ＷＳ１）を命綱となる紐体（ＬＳ）を介して結合させた例である。
【００４８】
前述のように、障子（Ｓ）は、上下二段を含む複数段の構成もある。そこで、二段の場合を例に下段の障子（Ｓ２）に関するに落下対策について説明する。他の複数段の下方の障子についても同様の策をとればよい。
【００４９】
上部の障子（Ｓ１）に対しては、図１０や図１２の構成でよいが、下部の障子（Ｓ２）に対しては、窓枠（２）の上部に結合する窓枠結合部材（Ｗ）、あるいは、連結部材（Ｂ３）との間に距離があって、命綱となる紐体（Ｌ）をこれらと結合させると紐体（Ｌ）の長さが長くなって、明かり取り機能を損なうし、窓の開閉に邪魔であるという問題がある。
【００５０】
図１３が、命綱となる紐体（Ｌ）が長くなる問題の解決策である。すなわち、窓枠の無目枠・無目材などにて下方の障子（Ｓ２）を支持できる部位「Ｔ」を選定し、その「Ｔ」に固定金物等によって懸架するようにＳ２の上部にワイヤーロープ「ＴＸ」を張る。この「ＴＸ」に、末端にワイヤーコースをつけてスライドしやすくした紐体（Ｌ）を通せばよい。
【００５１】
このようにすれば、紐体（Ｌ）の長さは短くてよく、ワイヤーコースを介して「ＴＸ」に滑るようにスライドできるので窓開閉に支障になることはない。
【００５２】
図１４が、図１２−１３の構成で上方・下方の障子Ｓ１・Ｓ２に結合する障子結合部材ＷＳ１とＷＳ２を、窓の外側に配設するとした施工計画の例図である。この例では、窓開閉に支障にならないように、図１５に示す「ハンガーレール」とそのレールに滑車でスライド移動できる「ランナー」を用いている。
【００５３】
ここまでの説明で明らかなように、施工法としては、前記［０７］［０８］［０９］に記載した工程を行えばよく、障子についての落下防止を加えるときには、下記の６−７を工程に加えればよい。
６  窓枠の中の障子（Ｓ）の上部に障子結合部材（ＷＳ）を結合する工程、
７  連結部材（Ｂ３）と障子結合部材（ＷＳ）を、命綱となる紐体（Ｌ）を介して結合する工程。
【００５４】
７は８でもよい。
８  窓枠結合部材（Ｗ）と障子結合部材（ＷＳ）を、命綱となる紐体（Ｌ）を介して結合する工程。
【００５５】
もちろん、施工の実際においては、施工対象のガラス面にガラス飛散防止シートを貼ることも忘れてはならない。
【００５６】
本発明の装置はここまでに説明した［０１］と［０２］、および、［０３］と［０５］、および、［０４］と［０６］の態様に、「既設の窓枠設置金物に孔を穿孔して、該孔にボルトを通貫し、窓枠結合部材（Ｗ）を前記既設の窓枠設置金物に結合させている」こと、および、「障子（Ｓ）に、窓枠内の窓を開閉する方向に可動する補助部材が配設されている」ことを付加したものである。
【００５７】
「既設の窓枠設置金物に孔を穿孔して、該孔にボルトを通貫し、窓枠結合部材（Ｗ）を前記既設の窓枠設置金物に結合させている」ことは、段落番号［0043］と図７に記載され図示されている。
【００５８】
「障子（Ｓ）に、窓枠内の窓を開閉する方向に可動する補助部材が配設されている」ことは、段落番号［0048］-［0052］、および、図１３、図１４、図１５に記載され図示されている。
【００５９】
−
【００６０】
−
【００６１】
−
【００６２】
−
【００６３】
本発明の特徴は、「障子（Ｓ）に、窓枠内の窓を開閉する方向に可動する補助部材が配設されている」ことである。
【００６４】
すなわち、「可動する補助部材」が、本発明技術の要件のひとつとして付加されていて、この「可動する補助部材」を含む、障子（Ｓ）を開閉可動するための「可動補助手段」が構成されているのが大きな特徴である。
【００６５】
以下、「可動する補助部材」を含む「可動補助手段」について補足する。
【００６６】
可動補助手段の第一例は（図１８参照）、窓枠結合部材（Ｗ）に結合された、障子（Ｓ）の開閉長さで障子（Ｓ）の開閉方向に固定した紐体（Ｘ１）と、障子結合部材（ＷＳ）に結合された、前記紐体（Ｘ１）に懸架されて摺動する部材（Ｘ２）、Ｘ２でＸ１に懸架されて窓枠内の窓を開閉する方向に可動するワイヤー（Ｘ３）とからなる組合せが好適である。Ｘ２は、ワイヤーコースが好適である。
【００６７】
ワイヤーコースは、ワイヤー先端でワイヤーを折り返した部位に装着するもので、折返し板や折り返し円板（円盤）を備えた板型ワイヤーコース、円板型（円盤型）ワイヤーコース、および、Ｃ字型の折り返し部を備えたＣ字型ワイヤーコースなどが知られている。折返し円板やＣ字型折り返し部の表面がワイヤーに接触しても摩擦係数が小さく、ワイヤー上を摺動して窓枠内の窓を開閉する方向に可動するのに好適である。
【００６８】
可動補助手段の第二例は（図１５参照）、窓枠結合部材（Ｗ）に結合された、障子（Ｓ）の開閉長さで障子（Ｓ）の開閉方向に固定した上吊り式レール（Ｙ１）と、障子結合部材（ＷＳ）に結合された、前記上吊り式レール（Ｙ１）に懸架されて転動する戸車（Ｙ２）とからなる組合せが好適である。上吊り式レール（Ｙ１）は、ハンガーレールとも呼称される。戸車（Ｙ２）は、ランナー、上吊り車とも呼称される。
【００６９】
上吊り戸や、上吊りサッシが公知であるが、これらとの違いは、障子の落下防止を補助する手段であるので、戸車（Ｙ２）の個数は少なくてよいことである。最少では障子（Ｓ）ひとつに対して戸車（Ｙ２）ひとつでよい。非常時に障子（Ｓ）が外れて落ちるのを防ぐ特殊な外れドメとして機能する。
【００７０】
また、上吊り戸や、上吊りサッシとは異なり、通常時は戸車（Ｙ２）には懸架重量をかけず、戸車（Ｙ２）を上吊り式レール（Ｙ１）上に非接触で浮上させた状態として配設するのが好適である。
【００７１】
前述の、紐体（Ｘ１）やワイヤー（Ｘ３）も同様に、通常時には自重を除き懸架重量をほとんどかけない、遊びをもたせた状態で配設するのが好適である。
【００７２】
可動補助手段Ｘ１〜Ｘ３、Ｙ１・Ｙ２の補足説明図を図１９に示す。図中のＢは、建造物の隣接したふたつの支柱に結合された支柱結合部材で、Ｂ１、Ｂ２、Ｂ３で構成してもよい。ここでＢ３はＢ３０（ワイヤーロープ）としてもよい。
また、可動補助手段Ｙ１・Ｙ２の配設例を図２０に示す。
【００７３】
以上のように、Ｘ２・Ｘ３、またはＹ２に例示される可動する補助部材が配設され、これを含む可動補助手段が構成され、窓枠結合部材（Ｗ）と障子結合部材（ＷＳ）とが、可動する補助部材を介して結合されている、というのが本発明の特徴である。
【００７４】
以上段落番号［0063］から［0073］で説明した可動する補助部材があるという特徴は、特許文献５−８にも記載されていないユニークなものである。
すなわち、特許文献５−８には、
(イ)窓枠結合部材と支柱結合部材とが２重相互フックを介しての結合（特許文献５）、(ロ)地震時の建具の倒れ防止にて、長尺状の部材を介して構造物基体と建具との結合（特許文献６）、(ハ)建造物の外枠体から内枠体の落下防止にて、支柱、支柱結合部材と枠とが、つつみ状のゴム体を介しての結合が、遊びを許して振動緩衝して結合することを含めて示され（特許文献７）、かつ、（ニ）改装サッシで既設サッシを既設窓枠設置部位の孔にボルト貫通して結合させる構成（特許文献８）が示されているが、段落番号［0063］から［0073］で説明した、可動する補助部材については、なんら示されていない。
【００７５】
本願発明にては、ワイヤーコース・ハンガーレール・ランナー等で構成された「可動する補助部材」を含む「可動補助手段」で、障子を可動（窓を開閉）できる、という通常時に当然に必要とされる機能が確実に確保される。
そして、大地震など非常時には、「可動する補助部材」を含む「可動補助手段」によって、障子の外れが確実に阻止され、さらに、窓枠結合部材（Ｗ）を介して既設の建造物の支柱につながっているので、窓枠全体および障子の万全な落下防止策となっている。
【００７６】
本発明の別態様を説明する。それは、紐体（Ｌ１）に変わって、板体（Ｚ）によって、支柱結合部材（Ｂ）と窓枠結合部材（Ｗ）とを結合するものである。（図１７参照）
【００７７】
支柱結合部材（Ｂ）は、建造物の隣接したふたつの支柱に結合された支柱結合部材で、Ｂ１、Ｂ２、Ｂ３で構成してもよい。支柱結合部材（Ｂ）の長尺長さは、ふたつの支柱間の長さにほぼ一致する。
【００７８】
窓枠結合部材（Ｗ）も、連窓の窓枠の見付け方向に長いものであり、窓枠結合部材（Ｗ）の幅も、連窓の窓枠の見付け方向の長さにほぼ一致する。
【００７９】
一方、板体（Ｚ）は１０から３０ｃｍの長さの比較的短尺の金属部材（金属の板状部材、金属板）で、窓枠の見込み方向に支柱結合部材（Ｂ）と窓枠結合部材（Ｗ）とを部分的に橋渡しするように連結させている。
【００８０】
このような部分的な橋渡し連結で、落下防止装置の施工を簡素化している。板体（Ｚ）は紐体（Ｌ）のように、（Ｂ）と（Ｗ）の間に遊びを持たせて結合するものでなく、窓枠周りの構造に直接付加されるので、構造を強化することもできる。
【００８１】
すなわち、本発明は：
［001］    既設の建造物の隣接した支柱間にある窓枠が落下することを防止する裝置であって、既設の建造物の隣接したふたつの支柱に結合された支柱結合部材（Ｂ）と、窓枠の上部に結合された窓枠結合部材（Ｗ）と、障子（Ｓ）に結合された障子結合部材（ＷＳ）と、板体（Ｚ）とからなり、支柱結合部材（Ｂ）と窓枠結合部材（Ｗ）とが、板体（Ｚ）を介して結合されていて、
さらに、障子（Ｓ）に、窓枠内の窓を開閉する方向に可動する補助部材が配設されていて、窓枠結合部材（Ｗ）と障子結合部材（ＷＳ）とが、前記可動する補助部材を介して結合されている、裝置である。
【００８２】
また、もちろん、命綱となる紐体（Ｌ）をもちいてもよいので、本発明は：
［002］    既設の建造物の隣接した支柱間にある窓枠が落下することを防止する裝置であって、既設の建造物の隣接したふたつの支柱に結合された支柱結合部材（Ｂ）と、窓枠の上部に結合された窓枠結合部材（Ｗ）と、障子（Ｓ）に結合された障子結合部材（ＷＳ）と、命綱となる紐体（Ｌ）とからなり、支柱結合部材（Ｂ）と窓枠結合部材（Ｗ）とが、紐体（Ｌ）を介して結合されていて、
さらに、障子（Ｓ）に、窓枠内の窓を開閉する方向に可動する補助部材が配設されていて、窓枠結合部材（Ｗ）と障子結合部材（ＷＳ）とが、前記可動する補助部材を介して結合されている、裝置である。
【００８３】
本発明の工法は、［001］と［002］の部材群を結合または配設する工程を有する方法として記載したものである。
【発明の効果】
【００８４】
本発明の効果は、段落番号［0033］［0075］［0080］に記載したので再記は略す。
【図面の簡単な説明】
【００８５】
【図１】体育館のような建造物の高所にある窓枠（サッシ）落下危険性の説明図。
【図２】従来の窓枠（サッシ）上部の破断が起きやすいことの説明図。
【図３】本発明第一態様の裝置の構成図。
【図４】本発明第二態様の裝置の構成図。
【図５】図４の裝置のイメージ斜視図。
【図６】図５の裝置でＢ３をワイヤーロープとした場合のイメージ斜視図。
【図７】本発明第三態様の裝置の施工計画例図。
【図８】本発明裝置の施工現場を撮影した写真例（その１）。
【図９】本発明裝置の施工現場を撮影した写真例（その２）。
【図１０】本発明第二態様に障子（Ｓ）の落下防止を付加した態様の説明図。
【図１１】本発明第二態様の図６の裝置の構成図。
【図１２】図１１の構成にＳ１の落下防止を加えた態様の説明図。
【図１３】図１１の構成にＳ２の落下防止を加えた態様の説明図。
【図１４】ＷＳ１・ＷＳ２を窓の外側とした本発明第三態様の施工計画例図。
【図１５】Ｙ１とＹ２（上吊りレールと戸車）を可動補助手段としたＷとＷＳの結合の説明図。
【図１６】本発明第三態様の裝置のイメージ斜視図。
【図１７】紐体（Ｌ）を板体（Ｚ）に置換した本発明装置の説明図。
【図１８】Ｘ１とＸ２（ワイヤーとワイヤーコース）を可動補助手段としたＷとＷＳの結合の説明図。
【図１９】可動補助手段Ｘ１〜Ｘ３、Ｙ１・Ｙ２の説明図。
【図２０】可動補助手段Ｙ１・Ｙ２の配設例。
【符号の説明】
【００８６】
１  建造物の支柱
２  建造物の支柱間にある窓枠
Ｂ  建造物の隣接したふたつの支柱に結合された支柱結合部材で、Ｂ１、Ｂ２、Ｂ３で構成してもよい。
Ｂ１  建造物のひとつの支柱に結合する第一の支柱結合部材
Ｂ２  建造物の他の支柱に結合する第二の支柱結合部材
Ｂ３  Ｂ１とＢ２とを連結する連結部材
Ｂ３０  Ｂ３をワイヤーロープとしたもの
Ｂ４  建造物の隣接したふたつの支柱に結合された支柱結合部材
Ｂ５  ＬまたはＬＳを通貫するための孔を有するＢ４に結合された補助部材
Ｌ  窓枠の命綱となる紐体
ＬＳ  障子の命綱となる紐体
Ｓ  窓枠２の中にある障子
Ｓ１  上方の障子
Ｓ２  下方の障子
Ｔ    窓枠または無目枠・無目材に結合する結合部
ＴＸ    Ｔに懸架されＳ２上部に張られたワイヤーロープ
Ｗ  窓枠２の上部に結合する窓枠結合部材
ＷＳ  障子Ｓの上部に結合する障子結合部材
ＷＳ１  上方の障子Ｓ１に結合する障子結合部材
ＷＳ２  下方の障子Ｓ２に結合する障子結合部材
Ｘ１  障子（Ｓ）の開閉長さで障子（Ｓ）の開閉方向に固定した紐体（ワイヤー）  
Ｘ２  可動する補助部材であって、Ｘ１に懸架されて摺動する部材（ワイヤーコース）
Ｘ３  Ｘ２でＸ１に懸架されて窓枠内の窓を開閉する方向に可動するワイヤー
Ｙ１  障子（Ｓ）の開閉長さで障子（Ｓ）の開閉方向に固定した上吊り式レール
Ｙ２  可動する補助部材であって、Ｙ１に懸架されて窓枠内の窓を開閉する方向に転動するランナー（戸車）
Ｚ  板体  金属の板状部材
【要約】
【課題】  高所にある窓枠（サッシ）が窓枠（サッシ）全体で落下する危険を防止する。
【解決手段】  窓枠（サッシ）と上部躯体との結合部の破断があったとしても、窓枠（サッシ）上部を他の建造物の躯体に懸架するようにして全体の落下が回避されるようにした。すなわち、既設の建造物の隣接したふたつの支柱に結合された支柱結合部材（Ｂ）と、窓枠（サッシ）上部に結合させた部材（Ｗ）とを、板材（Ｚ）または命綱ワイヤーロープ（Ｌ）で結合し、さらに、障子（Ｓ）に、窓枠内の窓を開閉する方向に可動する補助部材が配設されている裝置によって落下が防止されるようにした。
【選択図】  図１９【図１】
0005764764.tif 000002
【図２】
0005764764.tif 000003
【図３】
0005764764.tif 000004
【図４】
0005764764.tif 000005
【図５】
0005764764.tif 000006
【図６】
0005764764.tif 000007
【図７】
0005764764.tif 000008
【図８】
0005764764.tif 000009
【図９】
0005764764.tif 000010
【図１０】
0005764764.tif 000011
【図１１】
0005764764.tif 000012
【図１２】
0005764764.tif 000013
【図１３】
0005764764.tif 000014
【図１４】
0005764764.tif 000015
【図１５】
0005764764.tif 000016
【図１６】
0005764764.tif 000017
【図１７】
0005764764.tif 000018
【図１８】
0005764764.tif 000019
【図１９】
0005764764.tif 000020
【図２０】
0005764764.tif 000021